(57)【要約】【課題】    一般的に捕球面の大きなグローブほど捕球しやすいが、捕球面の大きなグローブほどリストバンド部も大きくなり、手にフィットしにくくなる。このような欠点をカバーするため、リストバンドの長さを調節してグローブが手にフィットするよう構成されたグローブも提供されているが満足の得られるものではない。本願発明は、上記実情に鑑み、リストバンド部の両サイドに隙間を生じさせず、かつ、手の筋を痛めたり手首の動きに制約が加えられたりしない野球グローブの提供を目的とするものである。【解決手段】  本発明の野球グローブは、リストバンド部に、バルブを設けたエアーパッドを内蔵させた野球グローブにおいて、前記エアーパッドの略中央部にエアー通路を残して密着部を形成し、かつ、前記リストバンド部の表面側にバルブ取り出し口を設ける。【選択図】  図１
2005323718.tif 000002
【特許請求の範囲】
【請求項１】
リストバンド部（１）に、バルブ（２）を設けたエアーパッド（３）を内蔵させた野球グローブ（４）であって、前記エアーパッド（３）の略中央部にエアー通路（５）を残して密着部（６）を形成し、かつ、前記リストバンド部（１）の表面側にバルブ取り出し口（７）を設けたことを特徴とする野球グローブ。
【発明の詳細な説明】
【技術分野】
【０００１】
本発明は、リストバンド部にエアーパッドを内蔵させた野球グローブに関するものである。 
【背景技術】
【０００２】
野球グローブに連続気泡フォーム材料のパッドを内蔵させる先行技術として「エアーマネジメント野球グローブ」がある（例えば、特許文献１参照）。
また、手袋にエアー量の調整可能なエアーバッグを備えた手胛部クッション形成部分を設けるためのインナーと当該インナーを備えた手袋の先行技術として「手袋用インナークッションと手袋」がある（例えば、特許文献２参照）。
【特許文献１】特開平６−１２１８６１号公報（請求項１、図４）
【特許文献２】実登−３００１８００号公報（請求項１〜４、図２）
【発明の開示】
【発明が解決しようとする課題】
【０００３】
従来の野球グローブでは、手の大きさに見合うグローブを装着したとき、リストバンド部の両サイド（手の甲部分の親指の指股と手首の中間位置および小指の指股と手首の中間位置）に隙間が生じ、手にグローブがフィットしないという欠点がある。
一方、リストバンド部の両サイドに隙間が生じない状態にまでリストバンド部を小さくしたり締め付けたりすると、手の筋を痛めたり手首の動きに制約が加えられたりする。
また、一般的に捕球面の大きなグローブほど捕球しやすいが、捕球面の大きなグローブほどリストバンド部も大きくなり、手にフィットしにくくなる。
こうした実情の中で、現実的には、やや大きめのグローブを選択されるケースが多く、特に少年用の場合、成長を考慮して一回り大きめのサイズを選択するケースが圧倒的に多いという実情がある。
そのためグローブが手にフィットしにくく、グローブさばきに支障が生じて捕球ミスや突き指などの原因となっている。
このような欠点をカバーするため、リストバンドの長さを調節してグローブが手にフィットするよう構成されたグローブも提供されているが満足の得られるものではない。
本願発明は、上記実情に鑑み、リストバンド部の両サイドに隙間を生じさせず、かつ、手の筋を痛めたり手首の動きに制約が加えられたりしない野球グローブの提供を目的とするものである。
【課題を解決するための手段】
【０００４】
上記課題を解決するため、本発明の野球グローブは、リストバンド部に、バルブを設けたエアーパッドを内蔵させた野球グローブにおいて、前記エアーパッドの略中央部にエアー通路を残して密着部を形成し、かつ、前記リストバンド部の表面側にバルブ取り出し口を設ける。
【発明の効果】
【０００５】
本発明の野球グローブは、リストバンド部に、バルブを設けたエアーパッドを内蔵させ、前記エアーパッドの略中央部にエアー通路を残して密着部を形成し、かつ、前記リストバンド部の表面側にバルブ取り出し口を設ける構成であるから、リストバンド部の両サイドの隙間を、エアーパッドを膨らませて埋めることができる。
また、リストバンド部の両サイドの隙間を、エアーパッドを膨らませて埋めることにより、手の筋を痛めたり手首の動きに制約が加えられたりしなくなる。従って、手にグローブが丁度よい具合にフィットし、グローブさばきがスムーズになり、捕球ミスや突き指などを減少させることができる。
また、リストバンド部の両サイドの隙間を、エアーパッドを膨らませて埋めることにより、少し大き目のグローブを使用してもグローブを丁度よい具合にフィットさせられるので、成長を考慮して一回り大きめのサイズが選択されるケースの多い少年用グローブに好都合なグローブとして提供することができる。
また、エアーパッドを膨らませる方法でリストバンド部両サイドの隙間を埋めることができるので、使用に伴って生じてくるリストバンド部両サイドの隙間を容易に埋めることができる。
また、バルブ取り出し口をリストバンド部の表面側に設けることにより、グローブ装着時にバルブが手の甲に触れないので、バルブにより手の甲を傷つける虞がなくなると共に、グローブを装着した状態でエアーパッドを膨らませることができる。
また、グローブを装着した状態でエアーパッドを膨らませることができるので、エアーパッドを膨らませてから装着する場合に比べ、リストバンド部の間隙が大きくなるのでグローブの装着がスムーズにできると共に、一回の動作でリストバンド部が手にピッタリとフィットする状態にエアーパッドを膨らませることができる。
また、バルブ取り出し口を設けることにより、エアーパッドをリストバンド部の袋状部分に内蔵させる製造作業時において、バルブ取り出し口を位置決めのポイントとして利用し、エアーパッドの不完全な内蔵状態（例えば、エアーパッドの末端部が袋状部分の末端部にまで届いていない状態）を防止できるので好都合である。
また、エアーパッドの略中央部にエアー通路を残して密着部を形成することにより、エアーパッドの中央部が膨らまず両端部が膨らむようになるので、グローブの装着時にできるリストバンド部両サイドの隙間を、使用効果を高める状態に埋めることができる。エアーパッド全体を膨らませた場合には、手首に近い手の甲部分（手首の動きをグローブに伝える部分）とリストバンドの間にエアーパッドの空気層が介在し、その部分でグローブが反撥してグローブさばきに悪影響を及ぼす。
【発明を実施するための最良の形態】
【０００６】
本発明の野球グローブは、リストバンド部に、バルブを設けたエアーパッドを内蔵させた野球グローブにおいて、エアーパッドの略中央部にエアー通路を残して密着部を形成し、かつ、リストバンド部の表面側にバルブ取り出し口を設ける。
本発明での野球グローブには、野球グローブのほか、野球ミット、ソフトボールグローブ、ソフトボールミットなどが含まれる。
リストバンドはグローブの甲側に設けられ、グローブを手の甲にフィットさせ安定的に保持させる目的で設けられる。リストバンド部とはリストバンドの部分をいう。
リストバンド部の小指側端部には綴じ紐を通す穴が複数箇所設けられ、必要に応じてリストバンド部を開閉したり、或いは必要に応じてリストバンド部の長さを調節したりすることができるよう形成される。
リストバンド部の表皮には従来どおり牛革や合皮を用い、内側には従来のボアに代えエアーパッドを内蔵させるため伸縮性を備えたジャージやパイル地が用いられる。
リストバンド部の表皮と内側の周縁部は、エアーパッド差し込み口を除いて縫着され、エアーパッドを内蔵するための袋状部分が形成される。
上記袋状部分にエアーパッドを差し込み、エアーパッドのバルブを、リストバンド部の表面側に設けられたバルブ取り出し口に嵌め込むようにしてリストバンド部にエアーパッドが内蔵される。
この状態では、リストバンド部に内蔵されたエアーパッドが実戦中に不安定となるので、リストバンド部に設けられたエアーパッド差し込み口には、面ファスナーが取り付けられ着脱自在に開閉できるように形成される。
エアーパッドは、例えば、ナイロン、塩化ビニール、ポリエチレン、ウレタンなどの軟質合成樹脂、又は、合成ゴム、ウレタンゴムなどの軟質ゴムの素材を用いて略扁平な袋状に作られ、輪郭の形状はリストバンドの形状と略相似形に形成される。
上記エアーパッドには、エアーを注入排出及び貯留するためのバルブが設けられる。
使用者は、リストバンド部の表面側に設けられたバルブ取り出し口から出ているバルブを用いて、エアーパッドにエアーを注入・貯留したり排出させたりできる。
また、エアーパッドには、エアー通路を残し、略中央部に密着部が形成される。
密着部は、袋状のエアーパッドの一部分を溶着や融着により密着させて形成される。
【実施例１】
【０００７】
以下図面に基づいて実施例１を説明する。
図１は、本発明による野球グローブのリストバンド部の表面側を示す斜視図である。
野球グローブ４は、リストバンド部１に、バルブ２を設けたエアーパッド３を内蔵し、前記エアーパッド３の略中央部はエアー通路５を残して密着部６が形成され、かつ、前記リストバンド部１の表面側に、バルブ取り出し口７が設けられている。
リストバンド部１の表皮には牛革が用いられ、内側にはエアーパッド３を内蔵させるため伸縮性を備えたジャージが用いられている。
リストバンド部１の表皮と内側の周縁部は、エアーパッド差し込み口Ａを除いて縫着され、エアーパッド３を内蔵するための袋状部分が形成されている。
上記袋状部分にエアーパッド３を差し込み、エアーパッド３のバルブ２を、リストバンド部１の表面側に設けられたバルブ取り出し口７に嵌め込むようにしてリストバンド部１にエアーパッド３が内蔵されている。
図２は、リストバンド部の内側を示す斜視図である。
リストバンド部１に内蔵されたエアーパッド３が実戦中に不安定となるのを防止するため、リストバンド部１に設けられた袋状部分のエアーパッド差し込み口Ａには、面ファスナーＢが取り付けられ着脱自在に開閉できるように形成されている。
図３は、エアーパッドを示す斜視図である。
エアーパッド３は、ポリエチレンを用いて略扁平な袋状に作られ、輪郭の形状はリストバンドの形状と略相似形に形成されている。
上記エアーパッド３には、エアーを注入排出及び貯留するためのバルブ２が設けられている。
使用者は、リストバンド部１の表面側に設けられたバルブ取り出し口７から出ているバルブ２を用いて、エアーパッド３にエアーを注入・貯留したり排出させたりすることができる。
エアーパッド３は、略中央部に楕円形の密着部６が形成され、楕円形の密着部６の両サイドにはエアー通路５が形成されている。
上記のようにして、エアーパッド３の略中央部にエアー通路５を残して密着部６が形成されている。
上記構成により、エアーパッド３は、エアーパッドの中央部が膨らまず両端部が膨らむようになるので、グローブの装着時にできるリストバンド部両サイドの隙間を、使用効果を高める状態に埋めることができるようになる。
なお、リストバンド部の小指側端部には綴じ紐を通す穴が複数箇所設けられ、必要に応じてリストバンド部を開閉したり、或いは必要に応じてリストバンド部の長さを調節したりすることができるよう形成されているが請求の範囲に含まれる構成要素ではないので図示は省略されている。
【図面の簡単な説明】
【０００８】
【図１】本発明による野球グローブのリストバンド部の表面側を示す斜視図である。
【０００９】
【図２】リストバンド部の内側を示す斜視図である。
【００１０】
【図３】エアーパッドを示す斜視図である。
【符号の説明】
【００１１】
１  リストバンド部
２  バルブ
３  エアーパッド
４  野球グローブ
５  エアー通路
６  密着部
７  バルブ取り出し口
Ａ  エアーパッド差し込み口
Ｂ  面ファスナー
【図１】
2005323718.tif 000003
【図２】
2005323718.tif 000004
【図３】
2005323718.tif 000005